(57)【要約】【課題】上方から荷重のかかっていない状態のパイプサポートが容易に傾倒してしまう可能性、脚や三脚が床面から上方に張り出して作業員の通行の妨げになる可能性、を改善することを課題とする。【解決手段】パイプサポートスタンド１は、パイプサポート１１を自立させるために、台板１３Ａに形成された固定孔１３ａに挿入されるピン２Ｃ及び軸方向に延設された補強リブ２Ｂが一端に形成された脚部２を、前記台板１３Ａの固定孔１３ａに取り付ける構成としている。【選択図】図１
2015081463.tif 000002
【特許請求の範囲】
【請求項１】
長さ調整のために互いに挿脱される差込み管及び腰管と、これら差込み管と腰管にそれぞれ軸方向に形成されたピン孔と、このピン孔に挿入される支持ピンと、前記差込み管と前記腰管の挿脱方向と反対方向の端部にそれぞれ設けられた受け台と台板からなるパイプサポートを自立させるために、前記台板に形成された固定孔に挿入されるピン及び軸方向に延設された補強リブが一端に形成された脚部を、前記台板の固定孔に取り付ける構成としたことを特徴とするパイプサポートスタンド。
【請求項２】
腰管の周面と脚部の補強リブとの隙間に、該腰管の周面と該補強リブとに当接するように挿入するくさびを有することを特徴とする請求項１記載のパイプサポートスタンド。
【請求項３】
脚部の断面形状が、三角又は円弧形状とされていることを特徴とする請求項１又は２記載のパイプサポートスタンド。
【発明の詳細な説明】
【技術分野】
【０００１】
本発明は、床面から上方に張り出した部分がなく、かつパイプサポートに強固に取り付けることができると共に該パイプサポートの傾倒はもちろんのこと傾動及び滑動を防止して安定的に自立立脚させることができるパイプサポートスタンドに関するものである。
【背景技術】
【０００２】
コンクリートにより構造体を構築する際には、当該構造体の形状となるように型枠を配置する。この型枠は、上方の例えば梁や天井面（上階から見れば床面）を構築するためには、その位置の床面にパイプサポートを複数立設して、このパイプサポートによって型枠を上方にて支持するようにしている。
【０００３】
パイプサポートは、日本工業規格（ＪＩＳ  Ａ８６５１）に寸法や強度等が定められており、内筒とする差込み管を外筒とする腰管に挿脱して長さ調整可能とされ、腰管の差込み管との挿脱部位には調整ねじ（おねじ）が形成され、ここに調整ねじ（ねめじ）が螺入される。差込み管と腰管には軸方向にピン孔が直径対向面に各々形成され、このピン孔に支持ピンを挿入して調整した長さに固定する。差込み管と腰管の挿脱方向と反対方向の端部には、差込み管においては受け台が、腰管においては台板が、各々設けられている。
【０００４】
このパイプサポートを安定して自立させるために、例えば特許文献１〜４が提案されている。特許文献１，４は、腰管の挿脱部位と反対の端部に設けられた台板における中央の筒孔部位に挿入される支承部と、この支承部から連続して台板の面と積層される載置部と、載置部の床面に臨む側の面に複数形成された起立爪と、を有した構成の滑動防止金具が示されている。
【０００５】
特許文献２は、例えば側面視Ａ字状の脚部（いわゆるＡ型バリケード）に対してパイプサポートを取り付けるべく、パイプサポートの側面に当接する装着部と、装着部とパイプサポートとを固定するロック部材とが設けられた把持体とを備え、該把持体を脚部に係合させる構成とされた支持具が示されている。
【０００６】
特許文献３は、パイプサポートを抱合保持するリング体と、リング体の外面に等間隔を隔てて取り付けられた３本の脚部とからなり、リング体は枢軸４を支点として開閉可能に連結されたリング半裁体によって形成され、これらリング半裁体の相対する遊端部に該遊端部を止着、解除する止着手段が設けられ、さらに脚部は上端部でリング体に対して所定角度開脚可能に取り付けられた構成のスタンドが示されている。
【０００７】
しかし、特許文献１，４は、パイプサポートの滑動を防止するものであって、例えば天井面を構築するための型枠内に未だコンクリートが打設されていない、つまり上方から荷重がかかっていない場合には、パイプサポートは容易に傾倒あるいは滑動するといった問題があり、床面にパイプサポートを仮置きするにも容易に傾倒してしまう可能性がある。
【０００８】
また、特許文献２はある程度の高さを有した安定自立した脚部に対してパイプサポートを取り付ける構成、特許文献３は腰管の軸方向途中部位から床面に向けて斜めに延びたいわゆる三脚をパイプサポートに取り付ける構成であって、いずれにおいてもパイプサポート以外の構成が床面から上方に張り出すこととなり、作業員の通行の妨げになる可能性がある。
【０００９】
例えば特許文献２，３においてパイプサポート以外の床面から上方に張り出した構成に通行中の作業員（や運搬する資材）が接触すると、パイプサポートが傾倒、傾動、滑動してしまうこととなる。
【先行技術文献】
【特許文献】
【００１０】
【特許文献１】特開２０１３−３２６４２号公報
【特許文献２】特開２００５−１０５６９２号公報
【特許文献３】特開平９−１５８４９９号公報
【特許文献４】特開平７−２１７２２９号公報
【発明の概要】
【発明が解決しようとする課題】
【００１１】
解決しようとする問題は、特許文献１，４の構成では上方から荷重のかかっていない状態のパイプサポートが容易に傾倒してしまう可能性があり、特許文献２，３の構成では脚部や三脚が床面から上方に張り出して作業員の通行の妨げになる可能性及びこれら脚部や三脚に接触することでパイプサポートが傾倒、傾動、滑動する可能性がある、点である。
【課題を解決するための手段】
【００１２】
上記問題を解決するために、本発明のパイプサポートスタンドは、長さ調整のために互いに挿脱される差込み管及び腰管と、これら差込み管と腰管にそれぞれ軸方向に形成されたピン孔と、このピン孔に挿入される支持ピンと、前記差込み管と前記腰管の挿脱方向と反対方向の端部にそれぞれ設けられた受け台と台板からなるパイプサポートを自立させるために、前記台板に形成された固定孔に挿入されるピン及び軸方向に延設された補強リブが一端に形成された脚部を、前記台板の固定孔に取り付ける構成とした。
【発明の効果】
【００１３】
本発明のパイプサポートスタンドは、床面を這う脚部を取り付ける構成であるため、上方に脚部が張り出すことがなく、該床面の通行に支障を来すことがない。また、パイプサポートを自立させる際に、該パイプサポートの台板の隅部に形成された固定孔に脚部を取り付けるため非常に簡便な作業で済むと共に、パイプサポートの仮設置時点から安定的に自立させておけるという利点がある。
【図面の簡単な説明】
【００１４】
【図１】本発明のパイプサポートスタンドをパイプサポートに取り付けた状況を示す図である。
【図２】本発明のパイプサポートスタンドにおける脚部であり、（ａ）は平面図、（ｂ）は正面図、（ｃ）は左側面図、（ｄ）は右側面図、である。
【図３】本発明のパイプサポートスタンドにおけるくさびであり、（ａ）は平面図、（ｂ）は正面図、である。
【図４】（ａ）〜（ｃ）は本発明のパイプサポートスタンドをパイプサポートに取り付ける状態を示す図である。
【発明を実施するための形態】
【００１５】
本発明は、上方から荷重がかかっていない状態のパイプサポートが仮設時に容易に傾倒してしまう可能性がある点、及び脚部が床面から上方に張り出すと作業員の通行の妨げになる点を、台版の隅部の固定孔に、該台板の隅部に形成された固定孔に挿入されるピン及び軸方向に延設された補強リブが一端に形成された脚部を取り付けることで解消した。
【００１６】
また、本発明は、上記構成において、腰管の周面と脚部の補強リブとの隙間に、該腰管の周面と該補強リブとに当接するように挿入するくさびを有することで、パイプサポートの寸法種類に対応することができると共に脚部と腰管との結合がより強固となり、傾動が抑制される。
【００１７】
さらに、本発明は、上記構成において、脚部の断面形状が、三角又は円弧形状とされていれば、例えば台車が脚部を容易に乗り越えることができると共に、作業員がつまずいたりすることが防止できる。
【実施例】
【００１８】
本発明のパイプサポートスタンドの具体的な実施例について以下に図面を参照して説明する。なお、パイプサポートは、図１にのみ全体を示し、図２〜図４においては本発明のパイプサポートスタンドが取り付けられる部位（腰管と台板の部位）のみを示し、他部位の図示を省略している。
【００１９】
パイプサポートスタンド１は、日本工業規格（ＪＩＳ  Ａ８６５１）に規定されるパイプサポート１１に取り付けられて安定的に自立させるものである。パイプサポート１１は、内筒とする差込み管１２と、外筒とする腰管１３とを備え、腰管１３に対して差込み管１２を挿脱して長さ調整可能する構成とされている。
【００２０】
差込み管１２は腰管１３に対する、腰管１３は差込み管１２に対する、各々の挿脱方向と反対の端部には差込み管１２には受け台１２Ａ、腰管１３には台板１３Ａが各々設けられている。
【００２１】
これら、受け台１２Ａ、台板１３Ａは、軸方向から見た平面視略正方形の外形とされ、各々の四隅に、例えば端太（不図示）等に固定するためのボルト等が挿入される固定孔１２ａ，１３ａがそれぞれ形成されている。この台板１３Ａの固定孔１３ａを本発明の後に詳述するパイプサポートスタンド１において利用する。
【００２２】
さらに、差込み管１２と腰管１３の周面（直径対向面）には、各々軸方向に所定ピッチでピン孔１２Ｂ，１３Ｂが形成されている。ピン孔１２Ｂ，１３Ｂには、腰管１３の差込み管１２の挿脱部位に設けられたピン１３Ｃが挿入される。腰管１３の差込み管１２との挿脱部位の周面には調整おねじ１３Ｄが形成され、この調整おねじ１３Ｄに調整ねめじ１３Ｅが螺入される。
【００２３】
パイプサポートスタンド１は、腰管１３の台板１３Ａに形成された固定孔１３ａの数だけの脚部２と、本例では４本の脚部２と腰管１３とを強固に結合させるためのくさび３とを備えている。
【００２４】
脚部２は、所定長さの本体２Ａと、この本体２Ａの一方（本例では腰管１３側を意味する）端部に形成された補強リブ２Ｂと、この補強リブ２Ｂが設けられた側と反対面に形成され、固定孔１３ａに対して挿入されるピン２Ｃと、該本体２Ａの他方（本例では腰管１３から離間した方向を意味する）端部でピン２Ｃと同じ方向及び高さで形成された脚２Ｄと、を有している。本例では脚部２は、台板２と平行で直線状に延伸している。
【００２５】
本体２Ａは、図示する本例では、断面形状が上方開放されたコ字状とされているが、例えば、断面形状が中空筒状で、上部に頂点を有する三角状、あるいは上部が円弧状とされた半円状、とすることで、床面からの突出が滑らかとなり、作業員がつまずいたりすることが防止できる。
【００２６】
補強リブ２Ｂは、パイプサポート１１の傾倒を防止するために、腰管１３の周面と隙間を開けず、つまり当接するように、軸方向上方に突出して他方側にパイプサポート１が傾倒した際の荷重を支持できるだけの幅を持たせた形状とするが、本例のようにパイプサポート１１の寸法種類によっては、腰管１３の周面との隙間を開けた状態となる場合がある。また、ピン孔１３Ｂとピン２Ｃとの嵌め合いの公差により僅かに傾動することがある。
【００２７】
したがって、本例のように、パイプサポート１１の種類によって腰管１３の周面と補強リブ２Ｂとの隙間が生じる場合には、図３に示すようなくさび３を挿入する。くさび３を備える場合には、補強リブ２Ｂの上面に、くさび３の斜面部３Ｂが挿入される溝２Ｂａが形成されている。なお、くさび３については後述する。
【００２８】
ピン２Ｃと脚２Ｄは、同じ高さとされ、台板１３Ａの固定孔１３ａに挿入した本体２Ａの一方端側と、他方端側に延びた本体２Ａの水平を保つようにしているが、脚２Ｄに関しては、これを省略して、本体２Ａの形状、すなわち本体２Ａの他方端部へ向かう途中からピン２Ｃと同じ高さとなるようにしだい高さが大きくなる、あるいは途中から高さが大きくなるように異なる形状としてもよい。
【００２９】
くさび３は、腰管１３の周面に当接するよう、例えば本例では連続して隣接する２面が９０°とされた当接部３Ａと、この当接部３Ａの角部に設けられた斜面部３Ｂとを有している。
【００３０】
当接部３Ａは腰管１３の軸方向にある程度の高さを有しており、斜面部３Ｂは当接部３Ａの高さ分の寸法で設けられ、脚部２の補強リブ２Ｂの溝２Ｂａに挿入される。また、斜面部３Ｂは、腰管１３の差込み管１２との挿脱部位（これを上部とする）に向かって最上部が、該腰管１３周面から最も張り出した状態とされ、下部に向かうにしたがって該張り出し量が小さくなる、つまり斜面状とされている。
【００３１】
例えば、パイプサポート１１の腰管１３の外周と台板１３Ａの固定孔１３ａとの距離があって、この固定孔１３ａにピン２Ｃを挿入したときに、腰管１３の外周と補強リブ２Ｂとの間に隙間が生じると、パイプサポート１１が、傾動する（がたつく）ことがあるが、くさび３を挿入することで、腰管１３と脚部２の固定が強固になると共にわずかな傾動やがたつきを抑えることができる。
【００３２】
上記構成のパイプサポートスタンド１は、図４に示すようにして使用する。まず、パイプサポート１１を設置する床面において、未だ差込み管１２を上方へ伸張させていない状態で、図４（ａ）に示すように、台板１３Ａの固定孔１３ａに脚部２のピン２Ｃを挿入して、パイプサポート１１を仮自立させる。
【００３３】
続いて、腰管１３の外周と補強リブ２Ｂとの間に隙間がある場合は、上記の後に、図４（ｂ）に示すように、くさび３の斜面部３Ｂを脚部２の溝２Ｂａに沿って挿入する。その後、図４（ｃ）に示すように、斜面部３Ｂの上面をハンマーなどで下方へ打ち込んで脚部２と腰管１３とを密着させる。
【００３４】
こうしてパイプサポート１１をパイプサポートスタンド１を用いて正式に自立させた後、差込み管１２を伸ばし、高さ調整を行ってピン孔１２Ｂ，１３Ｂにピン１３Ｃを挿入して設置完了となる。
【００３５】
このように、本発明は、パイプサポートスタンド１の脚部２が上方の空間に大きく張り出すことなく、床面を這うようにしているので、従来のように作業員の通行の邪魔になることがない。
【００３６】
また、本発明は、パイプサポートスタンド１の設置時から、つまり未だ型枠に荷重がかかっていない状態でも傾倒はもちろんのこと、傾動も滑動も生じることなく安定的に自立させることができるので、パイプサポート１１を容易に設置して型枠を計画どおりに配置することができる。言うまでもなく本発明のパイプサポートスタンド１はパイプサポート１１の設置時から型枠設置、コンクリートの打設、のどの時点においても滑動はもちろん傾動することがない。
【符号の説明】
【００３７】
１  パイプサポートスタンド
２  脚部
２Ａ  本体
２Ｂ  補強リブ
２Ｂａ  溝
２Ｃ  ピン
２Ｄ  脚
３  くさび
３Ａ  当接部
３Ｂ  斜面部
１１  パイプサポート
【図１】
2015081463.tif 000003
【図２】
2015081463.tif 000004
【図３】
2015081463.tif 000005
【図４】
2015081463.tif 000006
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
長さ調整のために互いに挿脱される差込み管及び腰管と、これら差込み管と腰管にそれぞれ軸方向に形成されたピン孔と、このピン孔に挿入される支持ピンと、前記差込み管と前記腰管の挿脱方向と反対方向の端部にそれぞれ設けられた受け台と台板からなるパイプサポートを自立させるために、前記台板に形成された固定孔に挿入されるピン及び軸方向に延設された補強リブが一端に形成された脚部を、前記台板の固定孔に取り付ける構成とすると共に、前記腰管の周面と前記脚部の前記補強リブとの隙間に、該腰管の周面と該補強リブとに当接するように挿入するくさびを有する構成としたことを特徴とするパイプサポートスタンド。
【請求項２】
脚部の断面形状が、三角又は円弧形状とされていることを特徴とする請求項１記載のパイプサポートスタンド。
【手続補正２】
【補正対象書類名】明細書
【補正対象項目名】００１２
【補正方法】変更
【補正の内容】
【００１２】
上記問題を解決するために、本発明のパイプサポートスタンドは、長さ調整のために互いに挿脱される差込み管及び腰管と、これら差込み管と腰管にそれぞれ軸方向に形成されたピン孔と、このピン孔に挿入される支持ピンと、前記差込み管と前記腰管の挿脱方向と反対方向の端部にそれぞれ設けられた受け台と台板からなるパイプサポートを自立させるために、前記台板に形成された固定孔に挿入されるピン及び軸方向に延設された補強リブが一端に形成された脚部を、前記台板の固定孔に取り付ける構成とすると共に、前記腰管の周面と前記脚部の前記補強リブとの隙間に、該腰管の周面と該補強リブとに当接するように挿入するくさびを有する構成とした。